【誤訳訂正書】
【提出日】平成27年11月16日(2015.11.16)
【誤訳訂正１】
【訂正対象書類名】明細書
【訂正対象項目名】００１９
【訂正方法】変更
【訂正の内容】
【００１９】
角張った部分：光学部品上の２つの予め画定された液体の接触線の位置を含むのに十分な前方湾曲レンズ又は後方湾曲レンズの片のいずれかの内面の幾何学的特色。角張った部分は、通常、内角よりも外角である。液体の観点から、角張った部分は、１８０°より大きい角度である。
【誤訳訂正２】
【訂正対象書類名】明細書
【訂正対象項目名】００５４
【訂正方法】変更
【訂正の内容】
【００５４】
本発明によると、導電性コーティング又は材料によって生理食塩水溶液５０３に印加される電位の変化は、メニスカス壁５０６に沿って液体メニスカス境界線５０５の位置を変更する。移動は、第１の角張った部分５０６−１と第２の角張った部分５０６−２との間で生じる。
【誤訳訂正３】
【訂正対象書類名】明細書
【訂正対象項目名】００５５
【訂正方法】変更
【訂正の内容】
【００５５】
好ましい実施形態では、液体メニスカス境界線５０５は、第１の規模の電位がレンズに印加されるとき、例えば、電圧及び電流が非屈折状態、つまり静止状態と相関するとき等、第１の角張った部分５０６−１にある、又はその付近にある。
【誤訳訂正４】
【訂正対象書類名】明細書
【訂正対象項目名】００５６
【訂正方法】変更
【訂正の内容】
【００５６】
第１の屈折状態とも呼ばれることのある第２の規模の電位の印加は、一般に第２の角張った部分５０６−２の方向へのメニスカス壁５０６に沿った液体メニスカス境界線５０５の移動と相関し、液体メニスカス境界線の形状を変化させることができる。
【誤訳訂正５】
【訂正対象書類名】明細書
【訂正対象項目名】００６３
【訂正方法】変更
【訂正の内容】
【００６３】
一般に、油５０４が後方湾曲レンズ５０２に接触する場合、弓形液体メニスカスレンズ５００は機能しないと考えられ得る。したがって、好ましい実施形態では、メニスカス壁５０６は、その最も近い点で、第１の角張った部分５０６−１と後方湾曲レンズ５０２との間に５０マイクロメートルの最小隙間を持たせるように設計される。他の実施形態では、隙間が減少すると、レンズが機能しないリスクは増加するが、最小隙間は、５０マイクロメートル未満であり得る。更に他の実施形態では、隙間は、レンズが機能しないリスクを軽減するように増加され得るが、望ましくない可能性がある全体的なレンズの厚さも増加する。
【誤訳訂正６】
【訂正対象書類名】明細書
【訂正対象項目名】００６７
【訂正方法】変更
【訂正の内容】
【００６７】
液体メニスカス接触角において、角張った部分のうちの１つを越えて液体メニスカス境界線５０５を移動させる十分に大きい変化をもたらすには、印加電位の顕著な変化を必要とするため、角張った部分５０６−１及び５０６−２等の、メニスカス壁５０６の両端での不連続性は、液体メニスカス５０５の移動において境界線として機能する。非限定的な例として、いくつかの実施形態では、メニスカス壁５０６を有する液体メニスカス境界線５０５の接触角は、１５°〜４０°の範囲であり、一方、第２の角張った部分５０６−２を超えるステップ５０７を有する液体メニスカス境界線５０５の接触角は、おそらく、９０°〜１３０°の範囲であり、一部の好ましい実施形態では、約１１０°である。
【誤訳訂正７】
【訂正対象書類名】明細書
【訂正対象項目名】００６８
【訂正方法】変更
【訂正の内容】
【００６８】
レンズには電圧を印加してよく、その結果、液体メニスカス境界線５０５を、メニスカス壁５０６に沿って第２の角張った部分５０６−２方向に移動させる。液体メニスカス境界線５０５と絶縁体被覆されたメニスカス壁５０６との自然接触角は、顕著により大きい電圧が供給されない限り、液体メニスカス境界線５０５を第２の角張った部分５０６−２にとどまらせる。
【誤訳訂正８】
【訂正対象書類名】明細書
【訂正対象項目名】００６９
【訂正方法】変更
【訂正の内容】
【００６９】
メニスカス壁５０６の一端で、第１の角張った部分５０６−１は、一般に、液体メニスカス境界線５０５が典型的に超えて移動しない限度を１つ画定する。いくつかの実施形態では、第１の角張った部分５０６−１は、鋭い縁として構築される。他の好ましい実施形態では、第１の角張った部分５０６−１は、欠点の可能性があまりないように作製され得る画定された小さい半径方向の面を有する。導電性、絶縁体、及び他の可能な所望のコーティングは、鋭い縁上に均一かつ予測可能に堆積されない場合があり、一方、画定された半径方向の面の半径方向の縁は、より確実に被覆され得る。
【誤訳訂正９】
【訂正対象書類名】明細書
【訂正対象項目名】００７０
【訂正方法】変更
【訂正の内容】
【００７０】
いくつかの実施形態では、第１の角張った部分５０６−１は、約１０マイクロメートルの画定された半径を有する約９０°の角度で構築される。この角張った部分はまた、９０°未満の角度で作製されてもよい。いくつかの実施形態では、９０°より大きい角度の角張った部分は、角張った部分の頑丈さを増加するために使用され得るが、設計は、より大きいレンズ空間を取る。
【誤訳訂正１０】
【訂正対象書類名】明細書
【訂正対象項目名】００７１
【訂正方法】変更
【訂正の内容】
【００７１】
様々な実施形態では、角張った部分５０６−１及び／又は５０６−２の画定された半径は、５マイクロメートル〜５０マイクロメートルの範囲であり得る。より大きい画定された半径は、コーティングの確実度を向上するが、レンズ設計の厳密な制約内でより大きい空間を使用するという代償を払って使用され得る。これにおいて、他の多くのレンズ設計の区域のように、構成の容易さ、レンズ機能の最適化、及び大きさの最小化の間で、トレードオフが存在する。機能的で、確実な弓形液体メニスカスレンズ５００は、広範な変動要素を使用して作製され得る。
【誤訳訂正１１】
【訂正対象書類名】明細書
【訂正対象項目名】００７２
【訂正方法】変更
【訂正の内容】
【００７２】
いくつかの実施形態では、より大きい角張った部分の半径は、２つの隣接する角張った部分間の側壁の改善された表面仕上げと共に使用され得る。いくつかの実施形態では、第１の半径（角張った部分）から第２の半径（角張った部分）までの表面が平滑であり、不連続部分が存在しないことが望ましく、同一のツールで角張った部分を成形するために用いられる成形型を切込むのに役立つ。角張った部分に含まれる半径は、成形ツールの表面への切込みであってよく、成形ツール表面の半径は、角張った部分の半径よりも大きい。成形ツール表面が１つ以上の角張った部分及び側壁を含む連続表面の場合、より大きいツール半径は、一般に、対応する切込みのより平滑な表面仕上げに関連する。
【誤訳訂正１２】
【訂正対象書類名】明細書
【訂正対象項目名】００７３
【訂正方法】変更
【訂正の内容】
【００７３】
第２の角張った部分５０６−２は、電圧が弓形液体メニスカスレンズ５００に印加されるとき、油の移動を制限するように設計された特色を含む。第２の角張った部分５０６−２はまた、いくつかの実施形態では、一般に尖った端部を含むこともできるか、あるいは他の実施形態では、第２の角張った部分５０６−２は、５〜２５マイクロメートル、最も好ましくは１０マイクロメートルの画定された半径を含むことができる。１０マイクロメートルの半径は、角張った部分として良好に機能し、単刃ダイヤモンド旋削旋盤又は射出成形プロセスを使用して作製され得る。
【誤訳訂正１３】
【訂正対象書類名】明細書
【訂正対象項目名】００７４
【訂正方法】変更
【訂正の内容】
【００７４】
前方湾曲レンズ５０１の光学区域５０８の開始部分まで延在する、垂直又はほぼ垂直のステップ５０７は、メニスカス壁５０６に対向する第２の角張った部分５０６−２の側に含まれてよい。いくつかの実施形態では、ステップ５０７は１２０マイクロメートルの高さであるが、５０〜２００マイクロメートルの範囲であってよい。
【誤訳訂正１４】
【訂正対象書類名】明細書
【訂正対象項目名】００７５
【訂正方法】変更
【訂正の内容】
【００７５】
いくつかの実施形態では、ステップ５０７は、光学軸から約５°の角度をなしてよい。他の実施形態では、ステップ５０７の角度は、１°若しくは２°程であるか、又は５°を超える角度であってもよい。メニスカス壁５０６からステップ５０７上に移動するには、液体メニスカス境界線５０５の接触角のより大きな変化を必要とするため、光学軸からより小さい角度をなすステップ５０７は、一般に、メニスカス移動のより効果的なリミッタとして機能する。ステップ５０７から光学区域５０８の開始部分への遷移は、２５マイクロメートルの半径である。より大きい半径は、レンズ設計内の空間を不必要により多く消費する。より小さい半径が可能であり、空間の増加が必要ならば、行われ得る。この区域並びにレンズの他の区域に理論的な角張った部分よりも画定された半径を使用するという決定は、一部、レンズ要素の射出成形プロセスへの潜在的な移行に基づく。ステップ５０７と光学区域５０８の開始部分との間の湾曲は、射出成形プロセス中の塑性流を向上させ、最適な強度及び応力対処特性を備えたレンズをもたらす。
【誤訳訂正１５】
【訂正対象書類名】明細書
【訂正対象項目名】００８１
【訂正方法】変更
【訂正の内容】
【００８１】
ここで図７を参照すると、上面直交図は、第１の角張った部分７０２及び第２の角張った部分７０３を含むメニスカス壁７０１を図示する。この図は、光学ゾーン７０７及び液体メニスカス境界線７０４の位置を含む。この代表的な図では、図６に図示されるようにｘ軸に沿って誘電体コーティングが最も薄く、メニスカス壁７０１への生理食塩水溶液の引き寄せが最も強く、液体メニスカス境界線７０４が点７０６（一般に第２の角張った部分７０３において、又はその最も近く）まで移動している。図６に図示するように、誘電体コーティングがｙ軸に沿って最も厚い場合、メニスカス壁７０１への生理食塩水溶液の引き寄せは最も弱く、液体メニスカス境界線７０４は点７０５（一般に第１の角張った部分７０２に近い方）で見出される。最薄区域から最厚区域までの誘電体コーティングの勾配は、メニスカス壁７０１上の液体メニスカス境界線７０４の位置を、一般に第２の角張った部分７０３に近い点７０６から一般に第１の角張った部分７０２に近い点７０５へと緩やかに移行させる。
【誤訳訂正１６】
【訂正対象書類名】明細書
【訂正対象項目名】００８２
【訂正方法】変更
【訂正の内容】
【００８２】
ここで図８を参照すると、メニスカス壁８０１と、第１の角張った部分８０２と、第２の角張った部分８０３と、ステップ８０５と、光学ゾーン８０６とを含む、弓形液体メニスカスレンズ８００の一部の斜視図が示される。メニスカス壁８０１上の液体メニスカス境界線の位置は、線８０４で示される。図８の斜視図は、誘電体コーティングが点８０７ａ及び点８０７ｂにおいて最も薄い場合、液体メニスカス境界線８０４は一般に、第２の角張った部分８０３において、又はその最も近くで見出され、誘電体コーティングが点８０８ａ及び点８０８ｂにおいて最も厚い場合（ただし、８０８ｂは斜視図でじかに見ることはできない）、液体メニスカス境界線８０４は一般に、第１の角張った部分８０２に近い方にあることを図示している。図８の斜視図は、メニスカス壁８０８ａ上の最高地点の１つと、メニスカス壁８０７ａ及び８０７ｂのその２つの最低地点との間の液体メニスカス境界線８０４の緩やかな勾配を示す。液体メニスカス境界線８０４の反対側の半分は、図８で完全には見えていないが、点８０７ａと点８０７ｂとの間に見える部分の鏡像である。
【誤訳訂正１７】
【訂正対象書類名】明細書
【訂正対象項目名】００８３
【訂正方法】変更
【訂正の内容】
【００８３】
ここで図９を参照すると、前方湾曲レンズ９０１、後方湾曲レンズ９０２、生理食塩水溶液９０３、及び油９０４を有する弓形液体メニスカスレンズ９００の端部分の断面図が示される。液体メニスカス境界線９０５は、生理食塩水溶液９０３と油９０４との間に見出され、メニスカス壁９０６上で前方湾曲レンズ９０１と接触している。例えば、レンズが非屈折状態、つまり静止状態にあるとき等、第１の規模の電位が印加されるとき、液体メニスカス境界線９０５は、第１の角張った部分９０７において、又はその付近でメニスカス壁９０６と接触する。一方、第２の規模の電位がメニスカス壁の周囲の勾配厚の誘電体コーティングに印加されると、図６、７、及び８で説明されたように、液体メニスカス境界線９０５は移動し、誘電体コーティングの厚さに基づいて、異なる位置においてメニスカス壁９０６に沿って接触点をもたらす。誘電体コーティングが最も厚く、メニスカス壁９０６への生理食塩水溶液９０３の引き寄せが最も弱い場合、液体メニスカス境界線９０５は、第１の角張った部分９０７に一般的に近い方の点９０８まで等、一般により限定的な移動を行う。最も薄い誘電体コーティングの区域では、メニスカス壁９０６上の誘電体コーティングの下にある導体への生理食塩水溶液９０３の引き寄せがより強くなり、一般に第２の角張った部分９１０の方に近い点９０９まで等、液体メニスカス境界線９０５のより大きい移動をもたらす。